(57)【特許請求の範囲】
【請求項１】
高分子凝集剤を混合した汚水の貯槽からの配管途中に管径断面を横切るようにワイヤーを張設したワイヤーカッターを設けたことを特徴とする汚水処理高分子凝集剤の配管閉塞防止装置。
【請求項２】
ワイヤーは複数本であり、相互に交叉させて配設する請求項１記載の汚水処理高分子凝集剤の配管閉塞防止装置。
【請求項３】
ワイヤーカッターは複数段設ける請求項１または請求項２記載の汚水処理高分子凝集剤の配管閉塞防止装置。
【請求項４】
ワイヤーカッターを設けるのは、希釈槽から汚水処理装置への配管途中である請求項１ないし請求項３のいずれかに記載の汚水処理高分子凝集剤の配管閉塞防止装置。
【請求項５】
ワイヤーカッターを設けるのは、汚泥脱水機からポンプまでの配管途中である請求項１ないし請求項３のいずれかに記載の汚水処理高分子凝集剤の配管閉塞防止装置。
【請求項６】
配管径が２５Φ、４０Φに対して、ワイヤーカッターのワイヤーはステンレス線材０．２ｍｍである請求項１ないし請求項５のいずれかに記載の汚水処理高分子凝集剤の配管閉塞防止装置。
【発明の詳細な説明】
【技術分野】
【０００１】
本発明は、汚水処理高分子凝集剤配管閉塞防止装置に関するものである。
【背景技術】
【０００２】
清掃工場では、排ガス処理、排水処理、飛灰処理、騒音、振動、悪臭など様々な環境対策を実施している。
【０００３】
排水処理は、ごみの焼却により発生する汚水には、灰汚水と洗煙汚水の２種類がある。灰汚水は、ごみを焼却した時に、発生する高温の灰を冷やすために使用した水で灰の中に含まれていた、鉛、クロム等の重金属や懸濁物質が入っている。洗煙汚水は、洗煙設備から排出される汚水で、水銀等が含まれている。
【０００４】
清掃工場では、これらの汚水を、凝集沈殿、ろ過等の排水処理を行って、有害物質を除去してから、下水道に放流している。
【０００５】
排水処理設備は、図１５に示すように、原水槽１→反応槽２→凝集沈殿槽３→ろ過器４→下水道へ放流となる。灰汚水、煙突汚水は原水槽１に集められ、ここが、排水処理設備のスタートとなる。
【０００６】
反応槽２では、液体キレートを注入して水銀を処理し、また、ｐＨを調整し、重金属類を除去し易いように不溶化する。さらに、塩化第二鉄等の凝集剤および高分子凝集剤（凝集助剤）を注入し、懸濁物質や不溶化した重金属を凝集させる。この凝集物のかたまりをフロックと呼ぶ。
【０００７】
凝集沈殿槽３では、フロックを沈降させ、分離させる。さらに、フロックを引き抜き、沈降を促進させる。引き抜いたフロックは脱水して搬出する。
【０００８】
ろ過器４は砂利等のろ過材を敷き詰めたもので、凝集沈殿槽３から送られてくる上澄み液をろ過する。ろ過することにより、凝集沈殿槽３での沈降分離で除去しきれない微細はフロックを除去する。なお、ろ過性能を保つため、定期的に洗浄を行う。
【０００９】
図１６はこのような処理の様子を模擬実験として示したもので、（１）のビーカーには、灰汚水及び洗煙汚水が入っていて、水が濁っている。ここに、凝集剤・高分子凝集剤（凝集助剤）などの薬品を加えたものが（２）の写真である。
【００１０】
凝集剤・高分子凝集剤（凝集助剤）を加えることで、懸濁物質等を凝集させる。この凝集物のかたまりをフロックと呼んでいる。時間をおいたものが（３）の写真である。フロックが沈殿し、水が澄んでいる。
【００１１】
凝集剤は、そのままでは沈降しないコロイド粒子（粒子径1nm〜1μm）の表面電荷を中和して粒子同士を結合し、沈降できるフロックを生成させる働きをします。凝集剤には、アルミニウム系、鉄系があり、補助剤として高分子凝集剤がある。
【００１２】
高分子凝集剤（凝集助剤）は、凝集剤により生成した微細フロックを吸着架橋作用により、大きなフロックにして沈降分離を促進させる。
【００１３】
以上は清掃工場における排水処理の一般的説明であり、これらに関する特許文献は存在しない。
【発明の概要】
【発明が解決しようとする課題】
【００１４】
前記鉛、クロム等の重金属や懸濁物質除去のために汚水処理で使用している高分子凝集剤（凝集助剤）は非常に粘度の高い薬品であるため、ゼリー状に凝固して配管内に付着しやすく、たびたび閉塞を起こしており、そのたびに閉塞解除作業を行う必要があった。
【００１５】
閉塞解除作業では水によるフラッシング（洗浄作業）を行うため、バルブの切替えがあり、系統を認識しておかないとフラッシングされていない、水が貯槽に逆流する、配管に圧力がかかり墳破する等のミスが発生する。
【００１６】
計器が付いていないため、閉塞を解除できたかを確認する術がないため、頃合いをみて通常系統に切替え、吐出を確認しなければならない。
【００１７】
なお、ポンプの手前には異物除去用のストレーナが設けることもあるが、ストレーナは本体が網を張設したカゴ体であり、前記高分子凝集剤（凝集助剤）は粘度が高くストレーナを設置すると閉塞を助長させるため、設置できない。
【００１８】
本発明の目的は前記従来例の不都合を解消し、ゼリー状に凝固した高分子凝集剤（凝集助剤）を細分化することで閉塞を未然に防ぐことができるので、閉塞解除作業を行う必要がなくなり、安全性の向上・人為的ミスの縮減などが実現できる汚水処理高分子凝集剤配管閉塞防止装置を提供することにある。
【課題を解決するための手段】
【００１９】
前記目的を達成するため請求項１記載の本発明は、高分子凝集剤を混合した汚水の貯槽からの配管途中に管径断面を横切るようにワイヤーを張設したワイヤーカッターを設けたことを要旨とするものである。
【００２０】
請求項１記載の本発明によれば、凝集助剤はゼリー状に凝固するということを前提に、ワイヤーを張設したワイヤーカッターで凝固物を細分化して配管を閉塞させないようにすることができる。
【００２１】
請求項２記載の本発明は、ワイヤーは複数本であり、相互に交叉させて配設することを要旨とするものである。
【００２２】
請求項２記載の本発明によれば、ワイヤーは複数本であり、相互に交叉させて配設することで、ワイヤー相互で囲む空間を小さく形成でき、この空間を通過させることで、凝固物をより細分化できる。
【００２３】
請求項３記載の本発明は、ワイヤーカッターは複数段設けることを要旨とするものである。
【００２４】
請求項３記載の本発明によれば、ワイヤーを張設したワイヤーカッターで凝固物を細分化するのに、何回か分けて行うことで細分化したものをさらに細分化でき、より確実に細分化できる。
【００２５】
請求項４記載の本発明は、ワイヤーカッターを設けるのは、希釈槽から汚水処理装置への配管途中であることを要旨とするものである。
【００２６】
請求項４記載の本発明によれば、ワイヤーカッターを設けるのは、希釈槽から汚水処理装置への配管途中であることで、高分子凝集剤（凝集助剤）による凝固物を効果的に裁断して、配管の詰まりを防止できる。
【００２７】
請求項５記載の本発明は、ワイヤーカッターを設けるのは、汚泥脱水機からポンプまでの配管途中であることを要旨とするものである。
【００２８】
請求項５記載の本発明によれば、ワイヤーカッターを設けるのは、汚泥脱水機からポンプまでの配管途中であることで、高分子凝集剤（凝集助剤）による凝固物を効果的に裁断して、配管の詰まりを防止できる。
【００２９】
請求項６記載の本発明は、配管径が２５Φ、４０Φに対して、ワイヤーカッターのワイヤーはステンレス線材０．２ｍｍであることを要旨とするものである。
【００３０】
請求項６記載の本発明によれば、高分子凝集剤（凝集助剤）による凝固物を効果的に裁断して、配管の詰まりを防止するのに好適な配管径とワイヤーカッターのワイヤー太さの組合せを選択できるものである。
【発明の効果】
【００３１】
以上述べたように本発明の汚水処理高分子凝集剤配管閉塞防止装置は、ゼリー状に凝固した高分子凝集剤（凝集助剤）を細分化することで閉塞を未然に防ぐことができるので、閉塞解除作業を行う必要がなくなり、安全性の向上・人為的ミスの縮減などが実現できるものである。
【図面の簡単な説明】
【００３２】
【図１】本発明の汚水処理高分子凝集剤配管閉塞防止装置の設置の説明図である。
【図２】本発明の汚水処理高分子凝集剤配管閉塞防止装置の原理を示す説明図である。
【図３】本発明の汚水処理高分子凝集剤配管閉塞防止装置の側面図である。
【図４】図３のＡ−Ａ線矢視図である。
【図５】図３のＢ−Ｂ線矢視図である。
【図６】本発明の汚水処理高分子凝集剤配管閉塞防止装置のワイヤーカッターの第３例を示す説明図である。
【図７】本発明の汚水処理高分子凝集剤配管閉塞防止装置のワイヤーカッターの第４例を示す説明図である。
【図８】本発明の汚水処理高分子凝集剤配管閉塞防止装置の第２実施形態と示す説明図である。
【図９】本発明の汚水処理高分子凝集剤配管閉塞防止装置の第２実施形態のものを組込んだ配管の斜視図である。
【図１０】本発明の汚水処理高分子凝集剤配管閉塞防止装置の効果を確認する実験装置の説明図である。
【図１１】本発明の汚水処理高分子凝集剤配管閉塞防止装置の使用結果を示す説明図である。
【図１２】本発明の汚水処理高分子凝集剤配管閉塞防止装置を使用しない場合の結果を示す説明図である。
【図１３】本発明の水処理高分子凝集剤配管閉塞防止装置を使用した場合の効果を示すグラフである。
【図１４】本発明の水処理高分子凝集剤配管閉塞防止装置を使用しない場合の結果を示すグラフである。
【図１５】清掃工場の排水処理の説明図である。
【図１６】清掃工場の排水処理の結果を示す写真である。
【発明を実施するための形態】
【００３３】
以下、図面について本発明の実施の形態を詳細に説明する。図１は本発明の汚水処理高分子凝集剤配管閉塞防止装置の設置の説明図で、図中１は本発明の汚水処理高分子凝集剤配管閉塞防止装置の設置の説明図で、図中５は高分子凝集剤（凝集助剤）希釈槽、６は注入ポンプを示す。
【００３４】
前記のように排水処理設備は、原水槽１→反応槽２→凝集沈殿槽３→ろ過器４→下水道へ放流となるが、この高分子凝集剤（凝集助剤）希釈槽５は反応槽２の一つであり、凝集沈殿槽３以下は汚水処理設備７となる。
【００３５】
高分子凝集剤（凝集助剤）希釈槽５と注入ポンプ６との間にはストレーナ８が設置されていたが、本発明はこのストレーナ８の代わりに閉鎖防止装置９を設置した。
【００３６】
閉鎖防止装置９は図３に示すように配管途中に設けるもので、図４、図５、図６、図７に示すように管径断面を横切るようにワイヤー１０ａを張設したワイヤーカッター１０による。配管径が２５Φ、４０Φに対して、ワイヤーカッター１０のワイヤー１０ａはステンレス線材０．２ｍｍである
【００３７】
ワイヤー１０ａは複数本であり、相互に交叉させて配設するが、図７に示すように十字にクロスさせる、図５に示すように井桁にクロスさせる、および図４に示すようにその両方を組み合わせるなどで、さらに、他例として図６に示すように井桁に張ったワイヤー１０ａにさらに横にしたワイヤー１０ａを張り増したようなものでもよい。
【００３８】
また、図示の実施形態ではワイヤーカッター１０は配管に組み込む継手若しくはカップリング形式で、全体形状が円盤状若しくはがドラム状のものである。
【００３９】
さらに、前記ワイヤーカッター１０は間隔を存して複数個、すなわち、複数段設けるものとする。同じものを並べてもよいが、一段目は割と目が粗いもの、２段面は一段目よりも目の細かいものとすることで、凝集物（フロック）１１をより小さく裁断できる。
【００４０】
図８は本発明の第２実施形態と示すもので、管１２を使用し、その両端の開口面にワイヤー１０ａを張設して、２段のワイヤーカッター１０を一つの管１２で形成できるようにした。
【００４１】
前記ワイヤーカッター１０を両端に仕込んだ管１２の端に管継手１３を設ければ、図９に示すように配管途中に簡単にセットすることができる。図９の符号８はストレーナであるが、このストレーナ８の代わりに本発明の閉鎖防止装置９を配管途中にセットしたものである。
【００４２】
このようにして、本発明の閉鎖防止装置９はこれを配管途中に設けることで、
配管内を流れる汚水の高分子凝集剤（凝集助剤）による凝集物１１のかたまり（フロック）をワイヤーカッター１０のワイヤー１０ａで切断して細かくし、配管内に付着して管内が閉塞するのを防止できる。
【００４３】
図１０に本発明の効果の有効性を確認するための試験装置をしめす。端に注射器を利用した吸引器１４を取付け、吸引器１４の取手を引っ張ると高分子凝集剤（凝集助剤）が吸われる。
【００４４】
図１１が本発明の閉鎖防止装置９を用いた場合、図１２が使用しない場合の高分子凝集剤（凝集助剤）の状態を示す。図１１では高分子凝集剤（凝集助剤）が細分化されており、有効性が確認できるが、図１２のように本発明の閉鎖防止装置９を用いない場合は、高分子凝集剤（凝集助剤）が凝固したまま吸い上げられてしまう。
【００４５】
図１３は本発明の閉鎖防止装置９の設置後の流速を示すグラフ、図１４は閉鎖防止装置９の設置前の流速を示すグラグであるが、図１３では高分子凝集剤（凝集助剤）の流量が１３Ｌ/ｈと安定しており、適切に添加されていることがわかるが、図１４では高分子凝集剤（凝集助剤）の流量が通常より少なく、閉塞の兆候がある。
【００４６】
なお、前記実施形態はワイヤーカッターを設けるのは、希釈槽から汚水処理装置への配管途中としたが、汚泥脱水機からポンプまでの配管途中であってもよい。
【符号の説明】
【００４７】
１…原水槽                  ２…反応槽
３…凝集沈殿槽              ４…ろ過器
５…高分子凝集剤（凝集助剤）希釈槽
６…注入ポンプ              ７…汚水処理設備
８…ストレーナ              ９…閉鎖防止装置
１０…ワイヤーカッター      １０ａ…ワイヤー
１１…凝集物（フロック）    １２…管
１３…管継手                １４…吸引器
【要約】
【課題】ゼリー状に凝固した高分子凝集剤（凝集助剤）を細分化することで閉塞を未然に防ぐことができる汚水処理高分子凝集剤配管閉塞防止装置を提供する。
【解決手段】高分子凝集剤を混合した汚水の貯槽からの配管途中に管径断面を横切るようにワイヤー１０ａを張設したワイヤーカッター１０を設けた。
【選択図】図１【図１】
0006867532.tif 000002
【図２】
0006867532.tif 000003
【図３】
0006867532.tif 000004
【図４】
0006867532.tif 000005
【図５】
0006867532.tif 000006
【図６】
0006867532.tif 000007
【図７】
0006867532.tif 000008
【図８】
0006867532.tif 000009
【図９】
0006867532.tif 000010
【図１０】
0006867532.tif 000011
【図１１】
0006867532.tif 000012
【図１２】
0006867532.tif 000013
【図１３】
0006867532.tif 000014
【図１４】
0006867532.tif 000015
【図１５】
0006867532.tif 000016
【図１６】
0006867532.tif 000017